(57)【要約】【課題】間口の狭い箇所に設置されるミラーキャビネットにおいて、所要幅寸法の鏡の使い勝手を損なわずに、収容能力の大きい棚部材の採用を可能とする。【解決手段】ミラーキャビネットＭの収納棚部２の基板部３に形成した長孔３ａに棚部材４の背面部に形成した断面Ｌ字形の係止片４ａを挿入して係合せしめ、棚部材４を幅方向に移動可能とする。棚部材４の幅寸法を基板部３の幅寸法よりも大きくし、ミラーキャビネットＭを使用する際には、棚部材４を基板部３の側端部よりも外方へ突出するように移動させる。鏡１ａの使い勝手を損なうことなく、収納棚部２の収容能力を向上させることができる。ミラーキャビネットＭの不使用時や、側方領域に棚部材４を突出させる空間がない場合には、棚部材４を基板部３から突出させない位置に配置できるから、ミラーキャビネットＭをコンパクト化して、見栄えを向上させることができる。【選択図】      図１
2006043241.tif 000002
【特許請求の範囲】
【請求項１】
鏡が取り付けられる鏡体部と、この鏡体部の側方に設けられた収納棚部とを備えるミラーキャビネットであって、前記収納棚部は基板部と該基板部に取り付けられる棚部材とから成り、前記棚部材は、前記基板部の側端部よりも外方へ突出する位置まで前記基板部上を幅方向に移動可能に構成されていると共に、幅寸法が前記基板部の幅寸法よりも大きく設定されていることを特徴とするミラーキャビネット。
【請求項２】
前記基板部及び前記棚部材のいずれか一方に幅方向を長手方向とする長孔が形成されると共に他方に係合片が設けられ、前記係合片を前記長孔に挿入して係合せしめることにより、前記棚部材が幅方向に移動可能な状態で前記基板部へ装着される請求項１に記載するミラーキャビネット。
【請求項３】
鏡が取り付けられる鏡体部と、この鏡体部の側方に設けられた収納棚部とを備えるミラーキャビネットであって、前記収納棚部は基板部と該基板部に対し着脱可能な棚部材とから成り、当該棚部材は平面形状が実質的に長方形であって、短辺に相当する側面を前記基板部に取り付けたときには当該棚部材が前記基板部の側端部から外方へ突出せず、長辺に相当する側面を前記基板部に取り付けたときには当該棚部材が前記基板部の側端部から外方へ突出するように構成されていることを特徴とするミラーキャビネット。
【発明の詳細な説明】
【技術分野】
【０００１】
本発明は、鏡体部と収納棚部とを備え、洗面化粧台等を構成するのに用いられるミラーキャビネットに関し、特に左右方向の間口寸法が狭い箇所への設置に好適な製品の提供を目的とする。
【背景技術】
【０００２】
基板部の正面領域が左右に分割され、一方の領域に鏡が取り付けられ、他方の領域に収納棚が設けられたミラーキャビネットは従来よく知られている。この種のミラーキャビネットは、それ自体単独で設置されるほか、洗面キャビネットの上に組み付けられて例えば特許文献１に記載されるような洗面化粧台を構成するのに用いられたりする。
【０００３】
【特許文献１】特開２００１−８７０５７公報
【発明の開示】
【発明が解決しようとする課題】
【０００４】
ミラーキャビネットあるいはミラーキャビネットを組み付けた洗面化粧台を設置するにあたり、設置領域の間口が小さい場合、これに合わせてミラーキャビネットも幅寸法の小さいものが選択される。ところで、幅寸法が例えば５００ｍｍのミラーキャビネットしか設置できない場合でも、実用性を考慮すると鏡の幅寸法は少なくとも３００ｍｍ以上を確保するのが望ましい。しかし、そうすると、収納棚用には２００ｍｍ以下の幅寸法しか許容されず、それ故、充分な収容力を持たせることが難しいという問題が生ずる。
【課題を解決するための手段】
【０００５】
本発明が前記従来の問題点を解決するために創案したミラーキャビネットの特徴は、請求項１に記載する通り、鏡が取り付けられる鏡体部と、この鏡体部の側方に設けられた収納棚部とを備え、前記収納棚部は基板部と該基板部に取り付けられる棚部材とから成るものとし、前記棚部材を、前記基板部の側端部よりも外方へ突出する位置まで前記基板部上を幅方向に移動可能に構成すると共に、その幅寸法を前記基板部の幅寸法よりも大きく設定したところにある。
【０００６】
前記棚部材を幅方向に移動可能にする手段の一例を示せば、請求項２に記載する通り、前記基板部及び前記棚部材のいずれか一方に幅方向を長手方向とする長孔を形成すると共に、他方に係合片を設け、前記係合片を前記長孔に挿入して係合せしめる構成が挙げられる。これにより、前記棚部材を、幅方向に移動可能な状態で、前記基板部へ装着することができる。
【０００７】
さらに本発明は、前記従来の問題点を解決できるミラーキャビネットの異なる態様を提供する。その特徴とするところは、請求項３に記載する通り、鏡が取り付けられる鏡体部と、この鏡体部の側方に設けられた収納棚部とを備え、前記収納棚部は基板部と該基板部に対し着脱可能な棚部材とから成り、当該棚部材は平面形状が実質的に長方形であって、短辺に相当する側面を前記基板部に取り付けたときには当該棚部材が前記基板部の側端部から外方へ突出せず、長辺に相当する側面を前記基板部に取り付けたときには当該棚部材が前記基板部の側端部から外方へ突出するように構成されていることである。
【発明の効果】
【０００８】
本発明の請求項１に係るミラーキャビネットは、棚部材の幅寸法が基板部の幅寸法よりも大きく設定されているが、棚部材を基板部の側端部よりも外方へ突出する位置まで移動させることが可能なので、棚部材が鏡体部の前に重なって鏡の使用可能範囲が狭められるのを避けられる。すなわち、間口の狭い箇所に設置される幅寸法が比較的小さい規格（例えば５００ｍｍ）のミラーキャビネットにおいて、所要幅寸法（例えば３００ｍｍ）の鏡を取着した場合でも、当該鏡の使い勝手を損なわずに、収容能力の大きい棚部材の採用が可能である。また、ミラーキャビネットを使用しないときは、棚部材を移動させて鏡体部の前に重ならせて、棚部材が基板部の側端部から突出しないようにできるから、見栄えを向上させる。
一般的にミラーキャビネットを有する洗面化粧台は洗濯機等に隣接され、この場合、下部の洗面キャビネットの側方には空間がなくとも、上部のミラーキャビネットの両側又は少なくとも一側方には、窓等が設けられるため空間が存在していることが多い。従って、かかる設置状況では、棚部材を側方へ突出させることで鏡体部の全面をまったく支障なしに使用でき、且つ、ミラーキャビネット両側の空間を収納空間として有効利用できる。
収納棚部の側方が壁面などに隣接する場合も考えられるが、ミラーキャビネットと隣接する壁面との間には、通常、狭くとも数十ミリ程度の隙間が存在している。従って、かかる設置状況の場合は、棚部材を側方へ可能な位置まで移動させることにより、棚部材が鏡体部の前に重なる部分を少なくすることができ、鏡の使用可能範囲を極力広くすることが可能である。
さらに設置状況によっては、ミラーキャビネットにおける収納棚部の側方に棚部材を突出させるだけの空間がないことも考えられるが、この場合は、棚部材を鏡体部の前に重ならせればよいから、本発明に係るミラーキャビネットは、設置作業を阻害するおそれがない。しかも、棚部材の一部が鏡体部に重なるだけなので、鏡の使用勝手にさほど支障をきたすものではない。
【０００９】
本発明の請求項２に記載するミラーキャビネットは、基板部及び棚部材のいずれか一方に形成した長孔に、他方に設けた係合片を挿入して係合せしめるものであるから、簡単な構成で、棚部材を幅方向に移動可能とする手段を提供できる。また棚部材は基板部に対し着脱可能にできるから、棚部材の清掃や交換が容易であり、鏡が破損した場合に、棚部材が鏡の交換作業に支障を及ぼすおそれがない。
【００１０】
本発明の請求項３に記載するミラーキャビネットは、平面形状が実質的に長方形の棚部材の長辺に相当する側面を前記基板部に取り付けて、当該棚部材を前記基板部の側端部から外方へ突出させるから、鏡と干渉することなく、収容能力の大きい棚部材を採用することが可能である。また設置状況により、ミラーキャビネットの収納棚部側方に棚部材を突出させ得る空間がない場合には、棚部材における短辺に相当する側面を基板部に取り付けることにより、当該棚部材を、基板部の側端部から外方へ突出させず、かつ鏡体部にも重ならないように設置することができる。
【発明を実施するための最良の形態】
【００１１】
［第１の実施形態］
図１は、本発明に係るミラーキャビネットＭを用いて製作した洗面化粧台Ｋの一例を示すものである。同洗面化粧台Ｋは、洗面器１０を載設したベースキャビネット１１の上面部にミラーキャビネットＭを組み付けて成る。図２に示すように、ミラーキャビネットＭは、鏡１ａが取り付けられる鏡体部１と、基板部３に複数の棚部材４を設けてなる収納棚部２とを備える。また、鏡体部１の上方領域に照明装置Ｌが取着され、収納棚部２の適所に上記照明装置Ｌの点灯スイッチ６や電源コンセント７等が配設されている。
【００１２】
本発明に係るミラーキャビネットＭは、棚部材４が、基板部３の表面上を幅方向に移動可能であること、及び、幅寸法が基板部３の幅寸法よりも大きく設定されているところを特色としている。棚部材４を幅方向に移動可能とする手段の一例を示せば、図３（Ａ）に示すように、収納棚部２の基板部３に幅方向を長手方向とする長孔３ａを形成し、他方、棚部材４の背面部に断面Ｌ字形の係止片４ａを形成する。このとき、長孔３ａの長さ寸法は、係止片４ａの幅寸法よりも充分に長いものとする。そして図３（Ｂ）に示す如く、棚部材４の係止片４ａを、基板部３の長孔３ａに挿入して係合せしめれば、棚部材４は幅方向に移動可能に基板部３上に装着される。なお、基板部３に、棚部材４の底面を支承する棚受け部５を突設してもよい。棚受け部５を有することにより、棚部材４の耐荷重性が増すと共に、棚部材４の移動が円滑化する。また、棚部材４の移動に支障を与えないようにするため、基板部３の表面は、鏡１ａの表面とほぼ面一か、あるいは鏡１ａ表面よりわずかに突出していることが望ましい。
【００１３】
前記棚部材４の幅寸法は、例えば次のように設定される。図４に示すように、ミラーキャビネットＭの幅寸法Ｗ１が５００ｍｍ、鏡体部１の幅寸法Ｗ２が３００ｍｍ、収納棚部２の幅寸法Ｗ３が２００ｍｍであるときに、棚部材４の幅寸法Ｗ４を３００ｍｍとする。棚部材４の幅寸法Ｗ４は、基板部３の幅寸法Ｗ３よりも大きいから、棚部材４を基板部３の側端部から突出させない状態（図４に実線で示す状態）では、棚部材４の一部が鏡体部１の上に重なり、鏡１ａの有効に使用できる領域を狭めている。そこでミラーキャビネットＭを使用する際には、棚部材４を、基板部３の側端部よりも外方へ突出するように基板部３の表面に沿って移動させ、鏡１ａとの干渉が無くなるようにする（図４に二点鎖線で示す）。本例では、前記寸法関係に基づき、棚部材４を基板部３の側端部から突出させる寸法Ｗ５を、１００ｍｍ以上に設定すればよい。このように本発明では、棚部材４を必要時には移動可能としたので、鏡１ａの使い勝手を損なうことなく、収納棚部２の収容能力を向上させることができる。またミラーキャビネットＭの不使用時や、側方領域に棚部材４を突出させる空間がない場合には、棚部材４を図４に実線で示す基板部３から突出させない位置に配置できるから、ミラーキャビネットＭをコンパクト化して、見栄えを向上させることができる。
【００１４】
なお、ミラーキャビネットＭに複数段の棚部材４を設ける場合、全ての棚部材４を幅方向に移動可能とするほか、一部の棚部材４のみ移動可能とすることも妨げない。例えば、最下部に位置する棚部材４の側方の壁面にコンセントが設けられている場合、最下部の棚部材４のみ移動不可とし、他の棚部材４は側方への移動を可能とする。また本発明のミラーキャビネットＭは、洗面化粧台の構成要素として使用されるだけでなく、単独で設置される場合もある。
【００１５】
［第２の実施形態］
棚部材４を基板部３の表面に沿って移動可能にする手段は、図５に示すように、基板部３側に断面Ｌ字形の係止片３ｂを形成し、棚部材４側に長孔４ｂを形成する構造も採用可能である。
【００１６】
［第３の実施形態］
図６は、本発明に係る棚部材８の異なる構造を示すものである。本例では、棚部材８を平面形状が実質的に長方形のものとし、この棚部材８における長辺８ａ側の長さ寸法は基板部３の幅寸法よりも大きく設定し、短辺８ｂ側の長さ寸法は基板部３の幅寸法とほぼ同一又はそれ以下となるように設定した。また棚部材８における長辺８ａ及び短辺８ｂの各側面に、基板部３に形成される長孔３ａに挿入されて係合する係止片９ａ，９ｂを形成する。
【００１７】
かかる構成の棚部材８は、図６（Ａ）に示す如く、長辺８ａ側に形成した係止片９ａを基板部３の長孔３ａに挿入して係合させることにより、基板部３の側端部よりも外方へ突出させた状態で装着される。また、基板部３の側方に棚部材８を突出させるための空間が無い場合は、図６（Ｂ）に示す如く、短辺８ｂ側に形成した係止片９ｂａを基板部３の長孔３ａに挿入して係合させることにより、基板部３の側端部から突出させない状態で装着することができる。従って本例では、いずれの場合でも、鏡１ａと干渉することなく、収容能力の大きい棚部材８を採用できるという利点が得られる。
【図面の簡単な説明】
【００１８】
【図１】本発明に係るミラーキャビネットを用いて構成した洗面化粧台の一例を示す斜視図である。
【図２】本発明の第１の実施形態に関するものであって、ミラーキャビネットの正面図である。
【図３】本発明の第１の実施形態に関するものであって、図（Ａ）は基板部と棚部材とを分離して示す斜視図、図（Ｂ）は棚部材を基板部に取り付けた状態を示す側面断面図である。
【図４】本発明の第１の実施形態に関するものであって、ミラーキャビネットの平面断面図である。
【図５】本発明の第２の実施形態に関するものであって、図（Ａ）は基板部と棚部材とを分離して示す斜視図、図（Ｂ）は棚部材を基板部に取り付けた状態を示す側面断面図である。
【図６】本発明の第３の実施形態に関するものであって、図（Ａ）は棚部材を基板部の側端部から突出させるようにして取り付けた状態を示す平面断面図、図（Ｂ）は棚部材を基板部の側端部から突出させないようにして取り付けた状態を示す平面断面図である。
【符号の説明】
【００１９】
Ｍ…ミラーキャビネット  １…鏡体部  １ａ…鏡  ２…収納棚部  ３…基板部  ３ａ…長孔  ４…棚部材  ４ａ…係止片  ８…棚部材  ８ａ…長辺  ８ｂ…短辺
【図１】
2006043241.tif 000003
【図２】
2006043241.tif 000004
【図３】
2006043241.tif 000005
【図４】
2006043241.tif 000006
【図５】
2006043241.tif 000007
【図６】
2006043241.tif 000008